(57)【要約】本発明は、修正周期中に制御チャネル及び指示チャネルで、次の修正周期中には前記制御チャネルで、移動端末に制御情報の存在を通知する方法に関するもので、特に、移動端末は、少なくとも１つの一対多サービスに加入して、第１修正周期中に一対多制御チャネルで第１一対多サービスに関する第１一対多制御情報を受信し、第２修正周期中に第２一対多サービスに関する第２一対多制御情報の存在を通知するための通知情報を前記第１修正周期中に前記一対多制御チャネルで受信する。
2008509628.tif 000002
【特許請求の範囲】
【請求項１】
少なくとも１つの一対多サービスに加入する段階と、
第１修正周期中に一対多制御チャネルで第１一対多サービスに関する第１一対多制御情報を受信する段階と、
第２修正周期中に第２一対多サービスに関する第２一対多制御情報の存在を通知するための通知情報を前記第１修正周期中に前記一対多制御チャネルで受信する段階と
を含むことを特徴とする無線通信システムにおける一対多サービス受信方法。
【請求項２】
前記一対多制御チャネルが、一対多指示チャネルとは異なるチャネルであることを特徴とする請求項１に記載の無線通信システムにおける一対多サービス受信方法。
【請求項３】
前記第１修正周期中に前記一対多指示チャネルで前記通知情報を受信する段階をさらに含むことを特徴とする請求項１に記載の無線通信システムにおける一対多サービス受信方法。
【請求項４】
前記第２修正周期中に前記一対多制御チャネルで前記第２一対多制御情報を受信する段階をさらに含むことを特徴とする請求項１に記載の無線通信システムにおける一対多サービス受信方法。
【請求項５】
前記第２修正周期が、前記第１修正周期直後の修正周期であることを特徴とする請求項１に記載の無線通信システムにおける一対多サービス受信方法。
【請求項６】
前記一対多サービスがＭＢＭＳサービスであることを特徴とする請求項１に記載の無線通信システムにおける一対多サービス受信方法。
【請求項７】
前記一対多指示チャネルがＭＩＣＨであることを特徴とする請求項３に記載の無線通信システムにおける一対多サービス受信方法。
【請求項８】
前記一対多制御チャネルがＭＣＣＨであることを特徴とする請求項１に記載の無線通信システムにおける一対多サービス受信方法。
【請求項９】
前記一対多制御チャネルで受信された通知情報は、移動端末が前記第２修正周期中に前記一対多制御チャネルを継続して読み込むべきか否かを示す情報要素を含むことを特徴とする請求項１に記載の無線通信システムにおける一対多サービス受信方法。
【請求項１０】
前記情報要素が、ＣＯＮＴＩＮＵＥ  ＭＣＣＨ  ＲＥＡＤＮＧ情報要素であることを特徴とする請求項９に記載の無線通信システムにおける一対多サービス受信方法。
【請求項１１】
前記情報要素が、少なくとも１つの移動端末に現在セル又は隣接セルで利用可能な少なくとも１つの一対多サービスに適用できる変更に関して通知するためにネットワークが周期的に送信するメッセージに含まれることを特徴とする請求項９に記載の無線通信システムにおける一対多サービス受信方法。
【請求項１２】
前記メッセージが、ＭＢＭＳ  ＭＯＤＩＦＩＥＤ  ＳＥＲＶＩＣＥＳ  ＩＮＦＯＲＭＡＴＩＯＮメッセージであることを特徴とする請求項１１に記載の無線通信システムにおける一対多サービス受信方法。
【請求項１３】
第１修正周期中に一対多制御チャネルで第１一対多サービスに関する第１一対多制御情報を送信する段階と、
第２修正周期中に第２一対多サービスに関する第２一対多制御情報の存在を通知するための通知情報を前記第１修正周期中に前記一対多制御チャネルで送信する段階と
を含むことを特徴とする無線通信システムにおける一対多サービス送信方法。
【請求項１４】
前記一対多制御チャネルが、一対多指示チャネルとは異なるチャネルであることを特徴とする請求項１３に記載の無線通信システムにおける一対多サービス送信方法。
【請求項１５】
前記第１修正周期中に前記一対多指示チャネルで前記通知情報を送信する段階をさらに含むことを特徴とする請求項１３に記載の無線通信システムにおける一対多サービス送信方法。
【請求項１６】
前記第２修正周期中に前記一対多制御チャネルで前記第２一対多制御情報を送信する段階をさらに含むことを特徴とする請求項１３に記載の無線通信システムにおける一対多サービス送信方法。
【請求項１７】
前記第２修正周期が、前記第１修正周期直後の修正周期であることを特徴とする請求項１３に記載の無線通信システムにおける一対多サービス送信方法。
【請求項１８】
前記一対多サービスがＭＢＭＳサービスであることを特徴とする請求項１３に記載の無線通信システムにおける一対多サービス送信方法。
【請求項１９】
前記一対多指示チャネルがＭＩＣＨであることを特徴とする請求項１５に記載の無線通信システムにおける一対多サービス送信方法。
【請求項２０】
前記一対多制御チャネルがＭＣＣＨであることを特徴とする請求項１３に記載の無線通信システムにおける一対多サービス送信方法。
【請求項２１】
前記一対多制御チャネルで送信された通知情報は、移動端末が前記第２修正周期中に前記一対多制御チャネルを継続して読み込むべきか否かを示す情報要素を含むことを特徴とする請求項１３に記載の無線通信システムにおける一対多サービス送信方法。
【請求項２２】
前記情報要素が、ＣＯＮＴＩＮＵＥ  ＭＣＣＨ  ＲＥＡＤＮＧ情報要素であることを特徴とする請求項２１に記載の無線通信システムにおける一対多サービス送信方法。
【請求項２３】
前記情報要素が、少なくとも１つの移動端末に現在セル又は隣接セルで利用可能な少なくとも１つの一対多サービスに適用できる変更に関して通知するためにネットワークが周期的に送信するメッセージに含まれることを特徴とする請求項２１に記載の無線通信システムにおける一対多サービス送信方法。
【請求項２４】
前記メッセージが、ＭＢＭＳ  ＭＯＤＩＦＩＥＤ  ＳＥＲＶＩＣＥＳ  ＩＮＦＯＲＭＡＴＩＯＮメッセージであることを特徴とする請求項２３に記載の無線通信システムにおける一対多サービス送信方法。
【請求項２５】
前記通知情報が、前記第１修正周期中に前記一対多制御チャネルで周期的に送信されることを特徴とする請求項１３に記載の無線通信システムにおける一対多サービス送信方法。
【発明の詳細な説明】
【技術分野】
【０００１】
本発明は移動端末に制御情報の存在を通知する方法に関し、より詳しくは、修正周期中に制御チャネル及び指示チャネルで、次の修正周期中には前記制御チャネルで、移動端末に制御情報の存在を通知する方法に関する。
【背景技術】
【０００２】
最近、移動通信システムが飛躍的な発展をしているが、大容量のデータ通信サービスにおいては、既存の有線通信システムが提供していた性能に追いつかない。従って、大容量のデータ通信を可能にする移動通信システム、ＩＭＴ‐２０００の技術開発が推進されており、その技術の標準化のために、企業及び組織間の協力が活発に行われている。
【０００３】
ＵＭＴＳ（Universal  Mobile  Telecommunications  System）は、欧州標準であるＧＳＭ（Global  System  for  Mobile  Communications）から進化した第３世代移動通信システムであって、ＧＳＭコアネットワークとＷＣＤＭＡ（Wideband  Code  Division  Multiple  Access）無線接続技術を基盤としてより向上した移動通信サービスの提供を目標とする。
【０００４】
ＵＭＴＳ技術の標準化作業のために、１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Third  Generation  Partnership  Project：３ＧＰＰ）を構成し、現在までＵＭＴＳの詳細な標準仕様を作成している。
【０００５】
３ＧＰＰにおいては、各ネットワーク構成要素とこれらの動作の独立性を考慮して、ＵＭＴＳの標準化作業を５つの技術仕様グループ（Technical  Specification  Groups：ＴＳＧ）に分けて進めている。
【０００６】
各ＴＳＧは、関連したエリア内で標準仕様の開発、承認、及びその管理を担当するが、これらのうち、無線アクセスネットワーク（Radio  Access  Network：ＲＡＮ）グループ（ＴＳＧ  ＲＡＮ）は、ＵＭＴＳでＷＣＤＭＡアクセス技術をサポートするための新しい無線アクセスネットワークであるＵＴＲＡＮ（UMTS  Terrestrial  Radio  Access  Network）の機能、要求事項、及びインタフェースの仕様を開発する。
【０００７】
図１は一般的なＵＭＴＳネットワークの基本構造を示す図である。図１に示すように、ＵＭＴＳは、端末又はユーザ装置（ＵＥ）１０、ＵＴＲＡＮ１００、及びコアネットワーク（ＣＮ）２００からなる。
【０００８】
前記ＵＴＲＡＮ１００は、１つ以上の無線ネットワークサブシステム（Radio  Network  Subsystems：ＲＮＳ）１１０、１２０から構成される。各ＲＮＳ１１０、１２０は、無線ネットワーク制御装置（Radio  Network  Controller：ＲＮＣ）１１１、並びに前記ＲＮＣ１１１が管理する複数の基地局もしくはＮｏｄｅ  Ｂ１１２、１１３から構成される。前記ＲＮＣ１１１は、無線リソースの割当及び管理を担当し、前記コアネットワーク２００とのアクセスポイントの役割を果たす。
【０００９】
各Ｎｏｄｅ  Ｂ１１２、１１３は、アップリンクで端末の物理層により伝送された信号を受信し、ダウンリンクで端末にデータを伝送する。各Ｎｏｄｅ  Ｂ１１２、１１３は、端末と前記ＵＴＲＡＮ１００とを接続するアクセスポイントの役割を果たす。各Ｎｏｄｅ  Ｂ１１２、１１３は、所定の周波数上で所定の地理的エリアをカバーする１つ又は複数のセルを制御する。各ＲＮＣ１１１は、Ｉｕインタフェースを介して、前記ＣＮ（すなわち、ＣＮのＭＳＣ（Mobile-services  Switching  Centre）エンティティ及びＳＧＳＮ（Serving  GPRS  Support  Node）エンティティに接続される。ＲＮＣは、Ｉｕｒインタフェースを介して他のＲＮＣに接続されることもある。前記ＲＮＣは、無線リソースの割当及び管理を担当し、前記コアネットワーク２００とのアクセスポイントの役割を果たす。
【００１０】
各Ｎｏｄｅ  Ｂ１１２、１１３は、アップリンクで端末の物理層により伝送された信号を受信し、ダウンリンクで端末にデータを伝送する。各Ｎｏｄｅ  Ｂ１１２、１１３は、端末と前記ＵＴＲＡＮ１００とを接続するアクセスポイントの役割を果たす。前記ＳＧＳＮは、Ｇｆインタフェースを介してＥＩＲ（Equipment  Identity  Register）に接続され、ＧＳインタフェースを介してＭＳＣに接続され、ＧＮインタフェースを介してＧＧＳＮ（Gateway  GPRS  Support  Node）に接続され、ＧＲインタフェースを介してＨＳＳ（Home  Subscriber  Server）に接続される。前記ＥＩＲはネットワークで使用可能な移動端末のリストを有する。ＣＳサービスのための接続を制御する前記ＭＳＣは、ＮＢインタフェースを介してＭＧＷ（Media  Gateway）に接続され、Ｆインタフェースを介してＥＩＲに接続され、Ｄインタフェースを介してＨＳＳに接続される。前記ＭＧＷは、Ｃインタフェースを介してＨＳＳに接続され、ＰＳＴＮ（Public  Switched  Telephone  Network）に接続され、前記ＰＳＴＮと前記接続されたＲＡＮとの間でコーデックを調節することができる。
【００１１】
前記ＧＧＳＮは、ＧＣインタフェースを介してＨＳＳに接続され、ＧＩインタフェースを介してインターネットに接続される。前記ＧＧＳＮは、異なるＲＡＢへのデータフローのルーティング、変更、及び分離を担当する。前記ＨＳＳはユーザの加入データを管理する。
【００１２】
前記ＵＴＲＡＮ１００の主な機能は、端末とコアネットワーク２００間の通信のために無線アクセスベアラ（Radio  Access  Bearer：ＲＡＢ）を形成して維持することである。前記コアネットワーク２００は、エンドツーエンドサービス品質（Quality  of  Service：ＱｏＳ）要求事項をＲＡＢに提供し、該当ＲＡＢは、コアネットワーク３０が設定したＱｏＳ要求事項をサポートする。従って、前記ＵＴＲＡＮは、ＲＡＢを構成して維持することにより、エンドツーエンドＱｏＳ要求事項を満足させることができる。また、前記ＲＡＢサービスは、Ｉｕベアラサービス及び無線ベアラサービスにさらに分類することができる。前記Ｉｕベアラサービスは、前記ＵＴＲＡＮ１００の各境界ノードと前記コアネットワーク２００間におけるユーザデータの信頼できる伝送をサポートする。
【００１３】
前記コアネットワーク２００は、互いに接続されて回線交換（Circuit  Switched：ＣＳ）サービスをサポートする移動交換局（Mobile  Switching  Center：ＭＳＣ）とゲートウェイ移動交換局（ＧＭＳＣ）２２０、及び互いに接続されてパケット交換（Packet  Switched：ＰＳ）サービスをサポートするサービングＧＰＲＳサポートノード（ＳＧＳＮ）２３０とゲートウェイＧＰＲＳサポートノード２４０を備える。
【００１４】
特定の端末に提供されるサービスは、ＣＳサービスとＰＳサービスに大別することができる。例えば、一般的な音声対話サービスはＣＳサービスに分類され、インターネット接続によるウェブブラウジングサービスはＰＳサービスに分類される。
【００１５】
前記ＣＳサービスをサポートする場合、前記各ＲＮＣ１１１は、前記コアネットワーク２００のＭＳＣ２１０に接続される。前記ＭＳＣ２１０は、他のネットワークとの接続を管理するＧＭＳＣ２２０に接続される。
【００１６】
前記ＰＳサービスをサポートする場合、前記各ＲＮＣ１１１は、前記コアネットワーク２００のＳＧＳＮ２３０及びＧＧＳＮ２４０に接続される。前記ＳＧＳＮ２３０は、前記各ＲＮＣ１１１へのパケット通信をサポートし、前記ＧＧＳＮ２４０は、インターネットなどの他のパケット交換ネットワークとの接続を担当する。
【００１７】
各ネットワーク構成要素の間には、多様な類型のインタフェースが存在し、相互通信時、これらネットワーク構成要素が互いに情報を送受信するようにする。前記ＲＮＣ１１１と前記コアネットワーク２００間のインタフェースは、Ｉｕインタフェースと定義される。特に、パケット交換システムの場合、前記ＲＮＣ１１１と前記コアネットワーク２００間のＩｕインタフェースを「Ｉｕ−ＰＳ」と定義し、回線交換システムの場合、前記ＲＮＣ１１１と前記コアネットワーク２００間のＩｕインタフェースを「Ｉｕ−ＣＳ」と定義する。
【００１８】
図２は３ＧＰＰ無線アクセスネットワークの標準に準拠した端末とＵＴＲＡＮ間の無線インタフェースプロトコルの構造を示す図である。
【００１９】
図２に示すように、前記無線インタフェースプロトコルは、水平的には、物理層、データリンク層、及びネットワーク層から構成され、垂直的には、ユーザデータを伝送するためのユーザプレーン（U-plane）、及び制御情報を伝送するための制御プレーン（C-plane）から構成される。
【００２０】
前記ユーザプレーンは、音声やＩＰ（Internet  Protocol）パケットなどのユーザのトラフィック情報を管理する領域を意味し、前記制御プレーンは、ネットワークのインタフェース、呼の維持及び管理などに関する制御情報を管理する領域を意味する。
【００２１】
図２のプロトコル層は、ＯＳＩ（Open  System  Interconnection）参照モデルの下位３層に基づいて、第１層（Ｌ１）、第２層（Ｌ２）、及び第３層（Ｌ３）に区分することができる。以下、各層について詳細に説明する。
【００２２】
前記第１層（Ｌ１）、すなわち、物理層（Physical  Layer：ＰＨＹ）は、多様な無線送信技術により上位層に情報伝送サービス（Information  Transfer  Service）を提供し、トランスポートチャネルを介して上位層である媒体アクセス制御（Medium  Access  Control：ＭＡＣ）層に接続されている。これらＭＡＣ層とＰＨＹ層とは、トランスポートチャネルでデータを交換する。
【００２３】
前記第２層（Ｌ２）は、ＭＡＣ層、無線リンク制御（Radio  Link  Control：ＲＬＣ）層、ブロードキャスト／マルチキャスト制御（Broadcast/Multicast  Control：ＢＭＣ）層、及びパケットデータコンバージェンスプロトコル（Packet  Data  Convergence  Protocol：ＰＤＣＰ）層を含む。
【００２４】
前記ＭＡＣ層は、無線リソースの割当及び再割当のためにＭＡＣパラメータの割当サービスを提供し、論理チャネルを介して上位層であるＲＬＣ層に接続される。
【００２５】
伝送される情報の種類によって多様な論理チャネルが提供されるが、一般に、制御プレーンの情報を伝送する場合は制御チャネルを利用し、ユーザプレーンの情報を伝送する場合はトラフィックチャネルを利用する。論理チャネルは、共有するか否かによって共通チャネル又は専用チャネルになる。論理チャネルには、ＤＴＣＨ（Dedicated  Traffic  Channel）、ＤＣＣＨ（Dedicated  Control  Channel）、ＣＴＣＨ（Common  Traffic  Channel）、ＣＣＣＨ（Common  Control  Channel）、ＢＣＣＨ（Broadcast  Control  Channel）、並びにＰＣＣＨ（Paging  Control  Channel）もしくはＳＨＣＣＨ（Shared  Channel  Control  Channel）がある。前記ＢＣＣＨは、端末が活用した情報を含む情報を提供してシステムにアクセスする。ＵＴＲＡＮは、前記ＰＣＣＨを利用して端末にアクセスする。
【００２６】
ＭＢＭＳ（Multimedia  Broadcast/Multicast  Service）あるいはＭＢＭＳサービスとは、一対多無線ベアラ及び一対一無線ベアラの少なくとも１つを活用するダウンリンク専用ＭＢＭＳ無線ベアラを利用して複数のＵＥにストリーミングやバックグラウンドサービスを提供する方法を意味する。１つのＭＢＭＳサービスは、１つ以上のセッションを含み、前記セッション中にのみＭＢＭＳデータが前記ＭＢＭＳ無線ベアラで複数の端末に伝送される。
【００２７】
前記名称から分かるように、ＭＢＭＳは、ブロードキャストモードやマルチキャストモードで行われる。前記ブロードキャストモードは、ブロードキャストが可能なドメインのようなブロードキャスト地域内の全てのＵＥにマルチメディアデータを伝送するためのものである。前記マルチキャストモードは、マルチキャストサービスが可能なドメインのようなマルチキャスト地域内の特定のＵＥグループにマルチメディアデータを伝送するためのものである。
【００２８】
ＭＢＭＳの目的のために、トラフィック及び制御チャネルがさらに存在する。例えば、ＭＣＣＨ（MBMS  point-to-multipoint  Control  Channel）を使用してＭＢＭＳ制御情報を伝送し、ＭＴＣＨ（MBMS  point-to-multipoint  Traffic  Channel）を使用してＭＢＭＳサービスデータを伝送する。
【００２９】
互いに異なる論理チャネルのリストを下記に示す。
【００３０】
制御チャネル（ＣＣＨ）：
‐  ＢＣＣＨ（Broadcast  Control  Channel）
‐  ＰＣＣＨ（Paging  Control  Channel）
‐  ＤＣＣＨ（Dedicated  Control  Channel）
‐  ＣＣＣＨ（Common  Control  Channel）
‐  ＳＨＣＣＨ（Shared  Channel  Control  Channel）
‐  ＭＣＣＨ（MBMS  point-to-multipoint  Control  Channel）
トラフィックチャネル（ＴＣＨ）：
‐  ＤＴＣＨ（Dedicated  Traffic  Channel）
‐  ＣＴＣＨ（Common  Traffic  Channel）
‐  ＭＴＣＨ（MBMS  point-to-multipoint  Traffic  Channel）
ＭＡＣ層は、トランスポートチャネルで物理層に接続され、管理されるトランスポートチャネルの形態によってＭＡＣ−ｂサブレイヤ、ＭＡＣ−ｄサブレイヤ、ＭＡＣ−ｃ／ｓｈサブレイヤ、及びＭＡＣ−ｈｓサブレイヤに分けることができる。
【００３１】
前記ＭＡＣ−ｂサブレイヤは、システム情報のブロードキャストを担当するトランスポートチャネルであるＢＣＨ（Broadcast  Channel）を管理する。前記ＭＡＣ−ｄサブレイヤは、特定の端末に対する専用トランスポートチャネルであるＤＣＨ（Dedicated  Channel）を管理する。従って、ＵＴＲＡＮのＭＡＣ−ｄサブレイヤは、該当端末を管理するＳＲＮＣ（Serving  Radio  Network  Controller）に位置し、１つのＭＡＣ−ｄサブレイヤは各端末（ＵＥ）内に存在する。
【００３２】
前記ＭＡＣ−ｃ／ｓｈサブレイヤは、複数の端末が共有するＦＡＣＨ（Forward  Access  Channel）やＤＳＣＨ（Downlink  Shared  Channel）などの共通トランスポートチャネル、あるいは、アップリンクでは、ＲＡＣＨ（Radio  Access  Channel）を管理する。ＵＴＲＡＮにおいて、前記ＭＡＣ−ｃ／ｓｈサブレイヤは、ＣＲＮＣ（Controlling  Radio  Network  Controller）内に位置する。前記ＭＡＣ−ｃ／ｓｈサブレイヤがセル領域内の全ての端末が共有しているチャネルを管理するため、各セル領域内には１つのＭＡＣ−ｃ／ｓｈサブレイヤが存在する。また、１つのＭＡＣ−ｃ／ｓｈサブレイヤは各端末（ＵＥ）にも存在する。図３はＵＥの観点から論理チャネルとトランスポートチャネル間の可能なマッピングを示しており、図４は、ＵＴＲＡＮの観点から論理チャネルとトランスポートチャネル間の可能なマッピングを示している。
【００３３】
ＲＬＣ層は、信頼性のあるデータ伝送をサポートし、上位層から伝送された複数のＲＬＣサービスデータユニット（ＲＬＣ  ＳＤＵｓ）に対する分割及び接続機能を実行する。ＲＬＣ層は、上位層から前記ＲＬＣ  ＳＤＵを受信すると、処理容量を考慮して適当な方式により各ＲＬＣ  ＳＤＵのサイズを調節してヘッダ情報が付加された所定のデータユニットを生成する。このように生成されたデータユニットをプロトコルデータユニット（ＰＤＵｓ）という。前記ＰＤＵは、論理チャネルを介してＭＡＣ層に伝送される。前記ＲＬＣ層は、前記ＲＬＣ  ＳＤＵ及び／又は各ＲＬＣ  ＰＤＵを保存するためのＲＬＣバッファを含む。
【００３４】
ＢＭＣ層は、コアネットワークから受信されたセルブロードキャストメッセージ（Cell  Broadcast  Message、「ＣＢ」メッセージという）をスケジューリングし、前記ＣＢメッセージを特定のセルに位置する端末にブロードキャストする。ＵＴＲＡＮのＢＭＣ層は、上位層から受信されたＣＢメッセージにメッセージＩＤ、シリアルナンバー、及びコーディング方法などの情報を追加してＢＭＣメッセージを生成した後、ＲＬＣ層に伝送する。前記ＢＭＣメッセージは、論理チャネル（すなわち、ＣＴＣＨ）を介してＲＬＣ層からＭＡＣ層に伝送される。前記ＣＴＣＨはトランスポートチャネル（すなわち、ＦＡＣＨ）にマッピングされ、前記ＦＡＣＨは物理チャネル（すなわち、Ｓ−ＣＣＰＣＨ（Secondary  Common  Traffic  Channel））にマッピングされる。
【００３５】
ＲＬＣ層の上位層であるＰＤＣＰ層は、ＩＰｖ４又はＩＰｖ６などのネットワークプロトコルで伝送されたデータが相対的に小さい帯域幅を有する無線インタフェースに効果的に伝送されるようにする。これを達成するために、ＰＤＣＰ層は、有線ネットワークで使用された不要な制御情報を減らすが、このような機能をヘッダ圧縮という。
【００３６】
無線リソース制御（Radio  Resource  Control：ＲＲＣ）層は、第３層（Ｌ３）の最も下位に位置する層であり、制御プレーンでのみ定義される。前記ＲＲＣ層は、無線ベアラ（ＲＢｓ）の設定、再設定、及び解除に関する論理チャネル、トランスポートチャネル、及び物理チャネルを制御する。前記無線ベアラサービスとは、端末とＵＴＲＡＮ間のデータ伝送のために第２層（Ｌ２）が提供するサービスを意味する。一般に、無線ベアラの設定とは、特定のデータサービスを提供するために必要なプロトコル層及びチャネルの特性を規定し、前記サービスに対する詳細なパラメータ及び動作方法を設定する過程を意味する。
【００３７】
ＲＬＣ層は、上位に接続された層のタイプによってユーザプレーン又は制御プレーンに属する。すなわち、ＲＬＣ層がＲＲＣ層からデータを受信する場合は、前記ＲＬＣ層は制御プレーンに属し、他の場合はユーザプレーンに属する。
【００３８】
無線ベアラとトランスポートチャネル間のマッピングが異なる可能性が常にあるわけではない。ＵＥ／ＵＴＲＡＮは、ＵＥの状態やＵＥ／ＵＴＲＡＮが現在行っている過程によって可能なマッピングを推論する。異なる状態やモードについての説明は次の通りである。
【００３９】
異なるトランスポートチャネルは異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの設定は、ＲＮＣとＵＥ間のＲＲＣシグナリング交換により行われる。
【００４０】
ＲＲＣモードは、端末のＲＲＣとＵＴＲＡＮのＲＲＣ間に論理接続が存在するか否かを示す。接続が存在する場合、前記端末はＲＲＣ接続モードであり、接続が存在しない場合、前記端末はアイドルモードである。ＲＲＣ接続モードの端末に対してＲＲＣ接続が存在するため、ＵＴＲＡＮは、セルユニット内に特定の端末が存在するか否か、例えば、ＲＲＣ接続モードの端末がどのセルもしくはセルのセットに存在するか、並びにどの物理チャネルをＵＥがリッスンしているかを判断できるので、端末を効果的に制御することができる。
【００４１】
一方、ＵＴＲＡＮは、アイドルモードの端末が存在するか否かを判断することができない。アイドルモードの端末が存在するか否かは、コアネットワークによってのみ判断される。特に、前記コアネットワークは、ロケーションやルーティング領域のようにセルより大きい地域内でのみアイドルモードの端末が存在するか否かを検出することができる。従って、アイドルモードの端末が存在するか否かは、広い地域内で判断される。音声やデータのような移動通信サービスを受けるために、アイドルモードの端末は、ＲＲＣ接続モードに移るか、又は変更しなければならない。モード及び状態間の可能な変化についての説明は図５に示す通りである。
【００４２】
ＲＲＣ接続モードのＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態のように異なる状態でもよい。前記の状態によって、ＵＥは異なるチャネルをリッスンする。例えば、ＣＥＬＬ＿ＤＣＨ状態の端末は、（様々なチャネルのうち）ＤＴＣＨ及びＤＣＣＨトランスポートチャネルを含み、特定のＤＰＣＨにマッピングできるＤＣＨタイプのトランスポートチャネルをリッスンするであろう。ＣＥＬＬ＿ＦＡＣＨ状態のＵＥは、特定のＳ−ＣＣＰＣＨ物理チャネルにマッピングされるいくつかのＦＡＣＨトランスポートチャネルをリッスンするであろう。ＰＣＨ状態のＵＥは、特定のＳ−ＣＣＰＣＨ物理チャネルにマッピングされるＰＩＣＨチャネル及びＰＣＨチャネルをリッスンするであろう。
【００４３】
また、前記ＵＥは、状態によって異なる役割を果たす。例えば、異なる条件によって、ＣＥＬＬ＿ＦＡＣＨ状態のＵＥは、ＵＥ自身が１つのセルの適用範囲から他のセルの適用範囲に移動する度にセルアップデート過程を開始する。前記ＵＥは、Ｎｏｄｅ  Ｂにセルアップデートメッセージを伝送してＵＥ自身の位置変更を通知することにより、前記セルアップデート過程を開始する。前記ＵＥはＦＡＣＨのリッスンを開始する。この過程は、前記ＵＥが他の状態からＣＥＬＬ＿ＦＡＣＨ状態に変化して有効なＣ−ＲＮＴＩを有していない場合、例えば、前記ＵＥがＣＥＬＬ＿ＰＣＨ状態やＣＥＬＬ＿ＤＣＨ状態から変化したか、又はＣＥＬＬ＿ＦＡＣＨ状態のＵＥが適用範囲から外れた場合にさらに実行される。
【００４４】
ＣＥＬＬ＿ＤＣＨ状態で、前記ＵＥは専用無線リソースが与えられて共有無線リソースも利用する。これにより、前記ＵＥは高いデータレートで効率的にデータを交換することができる。しかし、前記無線リソースが限られているため、ＵＴＲＡＮは、無線リソースを効率的に利用できるように各ＵＥに無線リソースを割り当て、異なるＵＥが必要なサービス品質を得られるようにする。
【００４５】
ＣＥＬＬ＿ＦＡＣＨ状態のＵＥは、割り当てられた専用無線リソースを有していないため、共有チャネルを介してのみＵＴＲＡＮと通信することができる。従って、前記ＵＥは、無線リソースをほとんど消耗しないが、有効データレートは限られている。さらに、前記ＵＥは、前記共有チャネルを継続してモニタリングしなければならないため、前記ＵＥが伝送を行っていない場合でもＵＥバッテリの消耗が増加する。
【００４６】
ＣＥＬＬ＿ＰＣＨ／ＵＲＡ＿ＰＣＨ状態のＵＥは、専用状況のみでページングチャネルをモニタリングし、バッテリの消耗を最小化する。しかし、ネットワークが前記ＵＥにアクセスしようとする場合、前記ページング時にこれらの要求を先に通知しなければならない。その後、前記ＵＥが前記ページングに応答した場合にのみ、前記ネットワークは、前記ＵＥにアクセスすることができる。また、前記ＵＥは、ＵＴＲＡＮにデータを伝送しようとする場合、さらなる遅延を発生させるセルアップデート過程を行った後にのみ前記ネットワークにアクセスすることができる。
【００４７】
一般に、ＣＥＬＬ＿ＤＣＨ状態のＵＥは、ＤＰＣＣＨ（Dedicated  Physical  Control  Channel）を利用して、各Ｎｏｄｅ  Ｂの異なるセルと同時にデータを交換する。前記ＵＥに接続された異なるセル、すなわち、前記ＤＰＣＣＨを利用して前記ＵＥとデータを送信又は受信するセルは、同一のＮｏｄｅ  Ｂに属することもでき、異なるＮｏｄｅ  Ｂに属することもできる。異なるＮｏｄｅ  Ｂは、１つのＲＮＣに接続することもでき、異なるＲＮＣに接続することもできる。ＵＥがＣＥＬＬ＿ＤＣＨ状態でセルとデータを交換する場合、前記ＵＥはセルに対して無線リンクを有するという。前記ＵＥが複数のＮｏｄｅ  Ｂと無線リンクを有する場合、前記ＵＥを「ソフトハンドオーバ」状態にあるといい、前記ＵＥが同一のＮｏｄｅ  Ｂ上で複数のセルと無線リンクを有する場合、前記ＵＥを「ソフターハンドオーバ」状態にあるという。ＵＥが使用する全ての無線リンクのセットをＵＥの「アクティブセット」という。前記ＵＥは、シグナリングメッセージにより隣接セルに関する情報を受信してセル品質を評価した後、その情報をＲＮＣに報告する。前記ＲＮＣは、その情報を利用して前記ＵＥのアクティブセット内のセルのリストをアップデートする。
【００４８】
主なシステム情報をＰ−ＣＣＰＣＨ（Primary  Common  Control  Physical  Channel）にマッピングされるＢＣＣＨ論理チャネルで伝送する。特定のシステム情報ブロックは、ＦＡＣＨチャネルで伝送される。前記システム情報を前記ＦＡＣＨで伝送すると、前記ＵＥは、前記Ｐ−ＣＣＰＣＨで受信されたＢＣＣＨ又は専用チャネルで前記ＦＡＣＨ設定を受信する。前記Ｐ−ＣＣＰＣＨは、セルの１次的な（primary）スクランブル符号であるＰ−ＣＰＩＣＨ（Primary  Common  Pilot  Channel）と同一のスクランブル符号を利用して伝送される。
【００４９】
各チャネルは、ＷＣＤＭＡシステムで一般に利用する拡散符号を利用する。各符号は、前記符号の長さに該当する拡散率（Spreading  Factor：ＳＦ）により区別される。所定の拡散率（ＳＦ）の場合、直交符号の数は前記符号の長さと一致する。各ＳＦの場合、ＵＭＴＳシステムに記述されたように、所定の直交符号セットに０からＳＦ−１までの番号が与えられている。各符号は、符号自身の長さ（すなわち、拡散率）と符号に与えられた番号を提示することによって識別される。前記Ｐ−ＣＣＰＣＨが使用する拡散符号は、常に固定された拡散率２５６を有し、その番号は１である。前記ＵＥは、ＵＥ自身が既に読み込んだ隣接セルのシステム情報に関してネットワークから伝送された情報により、又はＤＣＣＨチャネルで受信したメッセージにより、又は固定されたＳＦ２５６と拡散符号番号０を利用して伝送され、固定されたパターンを伝送するＰ−ＣＰＩＣＨを検索することにより、前記１次的なスクランブル符号が分かる。
【００５０】
前記システム情報には、隣接セル、ＲＡＣＨ及びＦＡＣＨトランスポートチャネルの設定、並びにＭＢＭＳサービスのための専用チャネルであるＭＣＣＨ設定に関する情報が含まれている。前記ＵＥが（ＣＥＬＬ＿ＦＡＣＨ、ＣＥＬＬ＿ＰＣＨ、あるいはＵＲＡ＿ＰＣＨ状態で）いずれかのセルを選択すると、有効なシステム情報を有しているか否かを検証する。
【００５１】
前記システム情報は、ＳＩＢｓ（System  Information  Blocks）、ＭＩＢ（Master  Information  Block）、及びスケジューリングブロックから構成される。前記ＭＩＢは非常に頻繁に伝送され、スケジューリングブロックと異なるＳＩＢのタイミング情報を提供する。バリュータグ（value  tag）にリンクされたＳＩＢの場合、前記ＭＩＢは、一部分のＳＩＢの最新バージョンに関する情報をも含む。バリュータグにリンクされていないＳＩＢは、期限タイマーにリンクされる。前記期限タイマーにリンクされたＳＩＢは無効になり、前記ＳＩＢの最新読み込み時間が前記期限タイマーの値より大きい場合、再び読み込む必要がある。前記バリュータグにリンクされたＳＩＢは、前記ＭＩＢからブロードキャストされたバリュータグと同一のバリュータグを有する場合にのみ有効である。各ブロックは、Ｃｅｌｌ、ＰＬＭＮ（Public  Land  Mobile  Network）、又は等価（equivalent）ＰＬＭＮのように、前記ＳＩＢがいずれのセルで有効であるかを示す有効面積範囲を有する。面積範囲「Ｃｅｌｌ」を有するＳＩＢは、ＳＩＢ自身が読み込まれたセルに対してのみ有効である。面積範囲「ＰＬＭＮ」を有するＳＩＢは、全てのＰＬＭＮで有効であり、面積範囲「等価ＰＬＭＮ」を有するＳＩＢは、全てのＰＬＭＮと等価ＰＬＭＮで有効である。
【００５２】
一般に、各ＵＥは、ＵＥ自身が選択した、すなわち、ＵＥ自身が滞在しているセルが、アイドルモード、ＣＥＬＬ＿ＦＡＣＨ状態、ＣＥＬＬ＿ＰＣＨ状態、あるいはＵＲＡ＿ＰＣＨ状態のとき、前記システム情報を読み込む。前記システム情報から、前記各ＵＥは、同一周波数、異なる周波数、及び異なるＲＡＴ（Radio  Access  Technologies）の隣接セルに関する情報を得る。これにより、前記各ＵＥはいずれのセルがセル再選択のための候補セルであるかが分かる。
【００５３】
ＣＥＬＬ＿ＤＣＨ状態のＵＥは、ＵＥ自身が利用している異なる無線リンクを既にリッスンしている。これにより、前記ＵＥがＢＣＣＨチャネルをさらに読み込む複雑な状況が増加する。従って、前記ＵＥは、一般にいくつかの特定機能のためにのみ、ＲＮＣから専用メッセージにより隣接セルに関する情報を受信する。しかし、前記ＵＥは、ＣＥＬＬ＿ＤＣＨ状態で、Ｐ−ＣＣＰＣＨチャネル又は他のトランスポートチャネルで伝送されたシステム情報を読み込むこともできる。
【００５４】
３ＧＰＰシステムでは、マルチメディアブロードキャストマルチキャストサービス（ＭＢＭＳ）を提供する。３ＧＰＰ  ＴＳＧ  ＳＡ（Service  and  System  Aspect）は、ＭＢＭＳサービスをサポートするために要求される多様なネットワーク要素及び該当機能を定義する。従来の技術が提供していたセルブロードキャストサービスは、テキストタイプショートメッセージが特定の領域にブロードキャストされるサービスに限定される。しかし、前記ＭＢＭＳサービスとは、該当サービスに加入している端末（ＵＥ）にマルチメディアデータをブロードキャストするだけではなく、マルチメディアデータをマルチキャストできる、より進歩したサービスを意味する。
【００５５】
ＭＢＭＳサービスは、共通又は専用下りチャネルを利用して複数の端末にストリーミングやバックグラウンドサービスを提供する下り専用サービスである。ＭＢＭＳサービスは、ブロードキャストモードとマルチキャストモードに分けられる。前記ＭＢＭＳブロードキャストモードは、ブロードキャスト地域内に位置する全てのユーザにマルチメディアデータを容易に伝送できるようにし、前記ＭＢＭＳマルチキャストモードは、マルチキャスト地域内に位置する特定のユーザグループにマルチメディアデータを容易に伝送できるようにする。前記ブロードキャスト地域とは、ブロードキャストサービスが可能な領域を意味し、前記マルチキャスト地域とは、マルチキャストサービスが可能な領域を意味する。
【００５６】
図６は、マルチキャストモードを利用して特定のＭＢＭＳサービスを提供する過程を示している。前記手順は、２タイプの動作（すなわち、ＵＴＲＡＮにトランスペアレントな動作とトランスペアレントでない動作）に分けることができる。
【００５７】
以下、トランスペアレントな動作について説明する。ＭＢＭＳサービスを受信しようとするユーザは、ＭＢＭＳサービスを受信できるようにサービスに加入してＭＢＭＳサービスに関する情報を受信した後、所定のＭＢＭＳサービスセットに参加しなければならない。サービス案内（Service  Announcement）により端末に今後提供されるサービスのリストと他の関連情報が提供されると、ユーザはこのようなサービスに参加することができる。このような参加により、ユーザは、ユーザ自身が加入しているサービスに関する情報を受信しようとしていることを通知してマルチキャストサービスグループの一部となる。所定のＭＢＭＳサービスに対する興味を失うと、ユーザは前記サービスを脱退する（すなわち、ユーザはマルチキャストサービスグループの一員ではなくなる）。このような各動作は、ＳＭＳ（Short  Messaging  Service）などのいずれかの通信手段、又はインターネットアクセスにより行うことができる。必ずしもＵＭＴＳシステムを利用してこのような各動作を行う必要はない。
【００５８】
ユーザがマルチキャストグループに属するサービスを受信するために、ＵＴＲＡＮには、トランスペアレントでない次の動作が行われる。ＳＧＳＮがＲＮＣにセッションの開始を通知すると、ＲＮＣは、マルチキャストグループに属するＵＥに所定のサービスが始まったことを通知して前記サービスの受信を開始させる。必要なＵＥ動作と前記サービスのためのＰｔＭベアラ設定をブロードキャストした後、前記データ伝送を開始する。セッションが中断されると、ＳＧＳＮはＲＮＣにセッションの中断を通知し、ＲＮＣはセッションを中断する。ＳＧＳＮからのサービス伝送とは、ＲＮＣがＭＢＭＳサービスデータを伝達するためのベアラサービスを提供するようにすることを意味する。
【００５９】
通知過程を行った後、ＵＥとＲＮＣとＳＧＳＮ間の他の過程を開始し、ＲＲＣ接続の設定、ＰＳドメインへの接続の設定、周波数層の収束、カウントなどのデータを伝送することができる。
【００６０】
ＭＢＭＳサービスを受信すると同時に、ＣＳドメインにおける音声もしくは映像の呼び出し、ＣＳもしくはＰＳドメインにおけるＳＭＳの伝達、ＰＳドメインにおけるデータ伝達、又はＵＴＲＡＮ、ＣＳ、もしくはＰＳドメインに関するシグナリングなどの他のサービスも受信することができる。
【００６１】
マルチキャストサービスとは異なり、ブロードキャストサービスにおいては、図７に示すように、サービス案内だけは、トランスペアレントな方式により実行されなければならない。加入や参加過程は必要としない。その後、ＲＮＣにトランスペアレントな前記各動作は、マルチキャストサービスに対する各動作と同一である。
【００６２】
図８は、ＵＴＲＡＮ側における一般的なセッションシーケンスを示す図であり、ＳＧＳＮがセッションの開始をＲＮＣに通知すると（段階１）、前記ＲＮＣは、カウント過程を行い、ＰＳドメインとの接続を設定するように一部のＵＥをトリガーさせる（段階２）。その後、前記ＵＥに対するＲＲＣ接続の設定が開始され、これにより、前記ＲＮＣは、前記サービスに関心のある所定セル内のＵＥの数を把握することができる。前記ＵＥがＰＳ接続を設定すると、前記ＳＧＳＮは、Ｉｕリンク過程を開始して、前記ＵＥが参加しているマルチキャストサービスのリストを前記ＲＮＣに提供する。
【００６３】
前記ＵＥが、ＲＲＣ接続を設定しており、所定のＭＢＭＳサービスへの関心はあるが、ＰＳドメインに接続されていない場合、前記ＲＮＣは、特定メッセージを前記ＵＥに送信して、ＰＳ接続を設定するように前記ＵＥをトリガーさせる（段階３）。前記ＵＥがＰＳ接続を設定すると、前記ＳＧＳＮは、Ｉｕリンク過程を開始して、前記ＵＥが参加しているマルチキャストサービスのリストを前記ＲＮＣに提供する。前記ＵＥがＣＥＬＬ＿ＤＣＨ状態にない場合、周波数層収束方式により前記ＲＮＣが前記ＵＥをトリガーさせて、前記ＵＥがリッスンしている周波数を変更できるようにする（段階４）。
【００６４】
ＲＲＭ（Radio  Resource  Management）方式により、前記ＲＮＣは、ＭＢＭＳサービスを伝達するために、一対多（Point-to-Multipoint：ＰｔＭ）又は一対一（Point-to-Point：ＰｔＰ）無線ベアラを設定する（段階５ａ又は段階５ｂ）。前記ＲＮＣは、前記ＳＧＳＮから受信したデータをマルチキャストグループの一部である前記ＵＥに伝送する。前記データの伝送が完了すると、前記ＳＧＳＮは、前記ＲＮＣにセッションの終了を通知する（段階６）。その後、前記ＲＮＣは、前記ＭＢＭＳデータを伝送するために使用したＰｔＰ又はＰｔＭ無線ベアラを解除する（段階７ａ又は段階７ｂ）。
【００６５】
一般に、ＲＲＣ接続状態にあるＵＥには２つの場合が存在するが、ＵＥとＰＳドメインとの接続が設定されている場合（PMM  connected）、ＵＥとＰＳドメインとの接続が設定されていない場合（PMM  idle  mode）である。ＰＳドメインとの接続が設定されていない場合、ＵＥはＣＳドメインとの接続が設定されているのが一般的である。その他の場合、ＵＥはＲＲＣ接続モードにない。
【００６６】
ＭＢＭＳのためには、２つの制御チャネル、すなわち、ＭＣＣＨとＭＩＣＨ（MBMS  Notification  Indicator  Channel）がさらに要求される。前述したように、前記ＭＣＣＨはＦＡＣＨにマッピングされる。前記ＭＩＣＨは、新しい物理チャネルであって、ユーザに前記ＭＣＣＨチャネルを読み込むことを通知するために使用される。前記ＭＩＣＨは、ＵＥがＤＲＸ（不連続受信（Discontinuous  Reception））方式を行えるようにするために考案されたチャネルである。ＤＲＸは、ＵＥのバッテリ消費を減少させるだけでなく、ＵＥがセッションを開始しているサービスを認識できるようにする。また、前記ＭＩＣＨは、前記ＭＣＣＨの読み込みを必要とする状況、すなわち、周波数収束方式の変更、ＰｔＭベアラ設定の変更、ＰｔＭベアラとＰｔＰベアラ間のスイッチングなどをＵＥに通知するために使用することもできる。
【００６７】
前記ＭＣＣＨチャネルは、周期的にアクティブサービス、ＭＴＣＨ設定、周波数収束などに関する情報を伝送する。ＵＥは、前記ＭＣＣＨ情報を読み込み、異なるトリガーに基づいて加入しているサービスを受信する。例えば、ＵＥは、ＭＩＣＨで所定のサービスに関する通知を受信するか、又はＤＣＣＨチャネルで通知を受信するとき、セルの選択／再選択後にトリガーされる。前記ＭＣＣＨチャネルの設定はシステム情報によりブロードキャストされる。前記ＭＩＣＨ設定（すなわち、拡散符号、スクランブル符号、拡散率、及び他の情報）は、標準に決定されるか、システム情報内に与えられるか、又は前記ＭＣＣＨでブロードキャストされる。
【００６８】
前記ＭＣＣＨ情報は決定されたスケジュールに従って伝送される。前記スケジュールから前記ＭＣＣＨ情報の開始を含む伝送時間間隔（ＴＴＩ）を識別できる。前記情報は多くの可変的ＴＴＩで伝送される。ＵＴＲＡＮは連続的なＴＴＩで前記ＭＣＣＨ情報を伝送する。移動端末（ＵＥ）は、１）ＵＥ自身が全てのＭＣＣＨ情報を受信するまで、２）ＭＣＣＨデータを含まないＴＴＩを受信するまで、又は３）情報コンテンツがそれ以上の受信を必要としないことを示す（例えば、所望の前記サービス情報に変更がないとき）まで、継続して前記ＳＣＣＰＣＨを受信する。
【００６９】
このような方式で、ＵＴＲＡＮは、信頼性を向上させるために、スケジューリングされた伝送に引き続き、前記ＭＣＣＨ情報を繰り返し伝送する。前記ＭＣＣＨスケジュールは全てのサービスに共通する。全体の前記ＭＣＣＨ情報は、「繰り返し周期（repetition  period）」に基づいて周期的に伝送される。「修正周期（modification  period）」は、前記繰り返し周期の整数倍と定義される。ＭＢＭＳ  ＡＣＣＥＳＳ  ＩＮＦＯＲＭＡＴＩＯＮは、「接続情報周期（access  info  period）」に基づいて周期的に伝送される。このような周期は、前記「繰り返し周期」の整数分割（integer  divider）である。
【００７０】
ＭＣＣＨ情報は、臨界情報と非臨界情報に分類される。前記臨界情報は、ＭＢＭＳ  ＣＯＭＭＯＮ  Ｐ−Ｔ−Ｍ  ＲＢ  ＩＮＦＯＲＭＡＴＩＯＮ、ＭＢＭＳ  ＣＵＲＲＥＮＴ  ＣＥＬＬ  Ｐ−Ｔ−Ｍ  ＲＢ  ＩＮＦＯＲＭＡＴＩＯＮ、ＭＢＭＳ  ＧＥＮＥＲＡＬ  ＩＮＦＯＲＭＡＴＩＯＮ、ＭＢＭＳ  ＭＯＤＩＦＩＥＤ  ＳＥＲＶＩＣＥＳ  ＩＮＦＯＲＭＡＴＩＯＮ、ＭＢＭＳ  ＮＥＩＧＨＢＯＲＩＮＧ  ＣＥＬＬ  Ｐ−Ｔ−Ｍ  ＲＢ  ＩＮＦＯＲＭＡＴＩＯＮ、及びＭＢＭＳ  ＵＮＭＯＤＩＦＩＥＤ  ＳＥＲＶＩＣＥＳ  ＩＮＦＯＲＭＡＴＩＯＮから構成される。前記非臨界情報は、ＭＢＭＳ  ＡＣＣＥＳＳ  ＩＮＦＯＲＭＡＴＩＯＮに該当する。
【００７１】
前記ＭＣＣＨを利用した臨界情報への変更は、修正周期の第１ＭＣＣＨ伝送にのみ適用される。各繰り返し周期が開始されるとき、ＵＴＲＡＮは、他の情報のうち前記修正周期にＭＣＣＨ情報が修正されたＭＢＭＳサービスに関する情報を含むＭＢＭＳ  ＣＨＡＮＧＥ  ＩＮＦＯＲＭＡＴＩＯＮを伝送する。ＭＢＭＳ  ＣＨＡＮＧＥ  ＩＮＦＯＲＭＡＴＩＯＮは、前記修正周期の各繰り返し周期に少なくとも１回繰り返される。非臨界情報への変更はいつでも発生し得る。図９は、ＭＣＣＨで伝送されたＭＢＭＳ  ＣＨＡＮＧＥ  ＩＮＦＯＲＭＡＴＩＯＮ及びＲＡＤＩＯ  ＢＥＡＲＥＲ  ＩＮＦＯＲＭＡＴＩＯＮを伝送するスケジュールを示す。異なるパターンのブロックは異なるＭＣＣＨコンテンツを示す。
【００７２】
ＵＥがＣＥＬＬ＿ＦＡＣＨ状態でＰｔＭ無線ベアラを受信する場合、前記ＵＥは、まず、ＵＥ自身が選択したセルのＭＣＣＨ設定を通知するために、Ｐ−ＣＣＰＣＨチャネルで伝送されたシステム情報をＢＣＣＨチャネルで受信する必要がある。従って、前記ＵＥは基本的なスクランブル符号を知っていなければならない。前記ＵＥは、前記ＭＣＣＨチャネル設定を知ると、前記ＭＣＣＨチャネルを読み込んで前記ＰｔＭ無線ベアラ設定情報を得る。前記ＵＥは、第１開始セルを得るために、専用メッセージにより前記セルのスクランブル符号を受信する。また、前記ＵＥは、セル検索を行うことができる。又は保存された情報を読み込むことができる。あるいは、ＵＥが既にセルを選択した場合又は前記セルに滞在している場合、前記ＵＥは、ＵＥ自身が既に選択したセルに関するシステム情報から得た隣接セルに関する情報を利用することもできる。
【００７３】
ＭＢＭＳ制御情報はＭＣＣＨで伝送される。前記ＵＥが前記ＭＣＣＨの受信時にＤＲＸ方式を行えるようにするために、前記ＭＩＣＨなどの他のチャネルを使用して前記ＵＥがＭＣＣＨを読み込むべき時間を通知するが、前記ＭＣＣＨのコンテンツ変更時にこのような状況が発生する。
【００７４】
従って、ＵＥはＭＩＣＨ及びＭＣＣＨを同時に読み込む。しかし、ＵＥは１つ（ＭＩＣＨ又はＭＣＣＨ）ではなく２つのチャネル（ＭＩＣＨ及びＭＣＣＨ）を全て復号化しなければならない場合もあるため、ＭＣＣＨで伝送された情報への変更を、前記変更された情報がＭＣＣＨで伝送される修正周期前の修正周期中にＭＩＣＨで伝送された通知メッセージに含めてＵＥにシグナリングさせる方法が提案された。図１０に示すように、新しいサービスが始まると、ＵＥが行う設定／動作が１修正周期中にＭＣＣＨで伝送され、同一の情報は全体の修正周期中に伝送される。前記ＭＣＣＨによる新しい情報の伝送をＵＥに通知するために、先行の修正周期中にＭＩＣＨで指示情報を伝送する。
【００７５】
しかし、ＵＥがＭＣＣＨの読み込みを中断した場合に問題が発生するが、ＭＩＣＨが次の修正周期にＭＣＣＨに適用する変更事項を示すため、ＵＥはＭＣＣＨを読み込む最後の修正周期中にＭＩＣＨも同時に読み込まなければならない。従って、このような問題を解決するために、ＵＥはＭＩＣＨとＭＣＣＨを同時に読み込むことができなければならない。ここで、ＭＩＣＨは不連続受信（ＤＲＸ）のために最適化され、ＭＩＣＨで伝送された情報はＭＣＣＨでも伝送される。
【発明の開示】
【発明が解決しようとする課題】
【００７６】
本発明は、修正周期中に制御チャネル及び指示チャネルで、次の修正周期中には前記制御チャネルで、移動端末に制御情報の存在を通知する方法を提供することを目的とする。
【００７７】
本発明の付加的な特性と利点は後述する発明の詳細な説明に記載され、部分的には上記の説明により明らかになるか、本発明の実施により理解されるであろう。本発明の目的と他の利点は、特に、発明の詳細な説明及び添付図面だけでなく、特許請求の範囲に開示された構成により実現される。
【課題を解決するための手段】
【００７８】
上記の目的を達成するために、本発明による無線通信システムにおける一対多サービス受信方法は、少なくとも１つの一対多サービスに加入する段階と、第１修正周期中に一対多制御チャネルで第１一対多サービスに関する第１一対多制御情報を受信する段階と、第２修正周期中に第２一対多サービスに関する第２一対多制御情報の存在を通知するための通知情報を前記第１修正周期中に前記一対多制御チャネルで受信する段階とを含む。好ましくは、前記一対多制御チャネルは一対多指示チャネルとは異なるチャネルである。
【００７９】
本発明の一態様において、前記方法は、前記第１修正周期中に前記一対多指示チャネルで前記通知情報を受信する段階をさらに含む。
【００８０】
本発明の他の態様において、前記方法は、前記第２修正周期中に前記一対多制御チャネルで前記第２一対多制御情報を受信する段階をさらに含む。
【００８１】
好ましくは、前記第２修正周期は前記第１修正周期直後の修正周期である。前記一対多サービスはＭＢＭＳサービスである。前記一対多指示チャネルはＭＩＣＨであり、前記一対多制御チャネルはＭＣＣＨである。
【００８２】
本発明のさらに他の態様において、前記一対多制御チャネルで受信された通知情報は、移動端末が前記第２修正周期中に前記一対多制御チャネルを継続して読み込むべきか否かを示す情報要素を含む。好ましくは、前記情報要素はＣＯＮＴＩＮＵＥ  ＭＣＣＨ  ＲＥＡＤＮＧ情報要素である。
【００８３】
また、前記情報要素は、少なくとも１つの移動端末に現在セル又は隣接セルで利用可能な少なくとも１つの一対多サービスに適用できる変更に関して通知するためにネットワークが周期的に送信するメッセージに含まれる。好ましくは、前記メッセージは、ＭＢＭＳ  ＭＯＤＩＦＩＥＤ  ＳＥＲＶＩＣＥＳ  ＩＮＦＯＲＭＡＴＩＯＮメッセージである。
【００８４】
本発明の他の実施形態において、本発明による無線通信システムにおける一対多サービス送信方法は、第１修正周期中に一対多制御チャネルで第１一対多サービスに関する第１一対多制御情報を送信する段階と、第２修正周期中に第２一対多サービスに関する第２一対多制御情報の存在を通知するための通知情報を前記第１修正周期中に前記一対多制御チャネルで送信する段階とを含む。好ましくは、前記一対多制御チャネルは一対多指示チャネルとは異なるチャネルである。
【００８５】
本発明の一態様において、前記方法は、前記第１修正周期中に前記一対多指示チャネルで前記通知情報を送信する段階をさらに含む。
【００８６】
本発明の他の態様において、前記方法は、前記第２修正周期中に前記一対多制御チャネルで前記第２一対多制御情報を送信する段階をさらに含む。
【００８７】
好ましくは、前記第２修正周期は前記第１修正周期直後の修正周期である。前記一対多サービスはＭＢＭＳサービスである。前記一対多指示チャネルはＭＩＣＨであり、前記一対多制御チャネルはＭＣＣＨである。
【００８８】
本発明のさらに他の態様において、前記一対多制御チャネルで送信された通知情報は、移動端末が前記第２修正周期中に前記一対多制御チャネルを継続して読み込むべきか否かを示す情報要素を含む。好ましくは、前記情報要素はＣＯＮＴＩＮＵＥ  ＭＣＣＨ  ＲＥＡＤＮＧ情報要素である。
【００８９】
また、前記情報要素は、少なくとも１つの移動端末に現在セル又は隣接セルで利用可能な少なくとも１つの一対多サービスに適用できる変更に関して通知するためにネットワークが周期的に送信するメッセージに含まれる。好ましくは、前記メッセージは、ＭＢＭＳ  ＭＯＤＩＦＩＥＤ  ＳＥＲＶＩＣＥＳ  ＩＮＦＯＲＭＡＴＩＯＮメッセージである。
【００９０】
本発明の一態様において、前記通知情報は、前記第１修正周期中に前記一対多制御チャネルで周期的に送信される。
【００９１】
以下の本発明に関する一般的な記載と詳細な記載は例示にすぎず、特許請求の範囲に記載された本発明の理解を助けるために提供されたものである。
【発明を実施するための最良の形態】
【００９２】
本発明は、修正周期中に制御チャネル及び指示チャネルで、次の修正周期中には前記制御チャネルで、移動端末に制御情報の存在を通知する方法に関する。
【００９３】
ＭＢＭＳ通知方式は、ＵＥに次の臨界ＭＣＣＨ情報の変更を通知するために用いられる。通知はサービスグループに基づく。サービスＩＤとサービスグループ間のマッピングはハッシングメカニズム（hashing  mechanism）に基づく。ＭＢＭＳ通知インジケータは、ＭＩＣＨというＭＢＭＳ固有のＰＩＣＨで伝送される。また、通知はＤＣＣＨチャネルを利用してＵＥに専用シグナリングにより伝送することもできる。１つのＭＩＣＨフレームが全てのサービスグループの指示を伝達することができる。
【００９４】
臨界ＭＣＣＨ情報は修正周期が始まるときにのみ変更することができる。全ての適用されたサービスのサービスグループに該当するＭＢＭＳ通知インジケータは、所定のサービスに関するＭＣＣＨ情報の第１変更以前に、全体の修正周期中に持続的に設定される。同一のサービスに関するＭＣＣＨ情報の次の修正周期での変更は、ＭＣＣＨでシグナリングされる。
【００９５】
ＭＴＣＨ又はＰｔＰチャネルでいずれのＭＢＭＳサービスも受信していないＵＥは、いつでも自由にＭＢＭＳ通知を読み込むことができるが、前記通知の間隔は、通常のページング状況で前記ＭＩＣＨの受信のみ行っても前記ＵＥが前記通知の信頼のある検出を行えるほど十分に長い。
【００９６】
サービスグループに対するＭＢＭＳ通知の指示を検出するとき、前記サービスグループに該当するサービスに関心のあるＵＥは、次の修正周期が始まるときにＭＣＣＨの読み込みを始める。前記ＵＥは少なくともＭＢＭＳ  ＭＯＤＩＦＩＥＤ  ＳＥＲＶＩＣＥＳ  ＩＮＦＯＲＭＡＴＩＯＮを読み込む。
【００９７】
図１１は、ＭＩＣＨ設定と第１ＭＣＣＨ臨界情報変更間のタイミング関係を示す図である。前記ＭＩＣＨの場合、斜線で示された区間２０はサービスに関する通知インジケータ（Notification  Indicator：ＮＩ）を設定する時間を示し、前記ＭＣＣＨの場合、異なるパターンのブロックは異なるサービスの通知に関するＭＣＣＨコンテンツを示す。
【００９８】
アイドルモード、又はＵＲＡ＿ＰＣＨ、ＣＥＬＬ＿ＰＣＨ、もしくはＣＥＬＬ＿ＦＡＣＨ状態で、ＭＴＣＨでＭＢＭＳサービスを受信しているＵＥは、各修正周期が始まるときにＭＣＣＨを読み込み、ＭＢＭＳ  ＭＯＤＩＦＩＥＤ  ＳＥＲＶＩＣＥＳ  ＩＮＦＯＲＭＡＴＩＯＮを受信する。前記ＭＢＭＳ  ＭＯＤＩＦＩＥＤ  ＳＥＲＶＩＣＥＳ  ＩＮＦＯＲＭＡＴＩＯＮは、ＭＢＭＳサービスＩＤを示し、選択的に、前記修正周期にＭＣＣＨ情報が修正されるＭＢＭＳセッションＩＤを示す。前記ＭＢＭＳ  ＭＯＤＩＦＩＥＤ  ＳＥＲＶＩＣＥＳ  ＩＮＦＯＲＭＡＴＩＯＮが、前記ＵＥがアクティブにしたＭＢＭＳサービスＩＤ及びＭＢＭＳセッションＩＤを示すと、前記ＵＥは残りのＭＣＣＨ情報を読み込む。
【００９９】
図１２は、本発明の一実施形態として、ＵＥが希望し、かつ修正周期Ｂ中に伝送されるサービスに関する情報を、ＭＩＣＨを利用して以前の修正周期Ａ中にＵＥに通知することを示す。また、前記サービスに関する情報は、ＭＣＣＨで前記修正周期Ａ中に前記ＵＥに通知される。特に、一般にサービス設定情報又はＵＥ固有の動作に関する情報を伝達するＭＣＣＨは、次の修正周期中に前記ＭＣＣＨと共に、前記ＭＩＣＨで送信されたＭＣＣＨを受信するための通知を同時に受信するように、前記ＵＥをトリガーさせるために使用される。これは、ネットワークとＵＥ間で伝送された情報要素（information  element：ＩＥｓ）の特定設定により実現できる。
【０１００】
図１３に示すように、前記修正周期Ａ中に、前記ネットワークは、修正周期Ｂに前記ＭＣＣＨがサービスＡに関する情報を含み、前記サービスＡに関心のあるＵＥが前記修正周期Ｂ中にＭＣＣＨを読み込むべきであることを前記ＭＩＣＨで指示する（段階１）。このような指示の伝送は全体の制修正周期Ａ中に繰り返される。また、同一の前記修正周期Ａ中に、前記ネットワークは、修正周期Ｂに前記ＭＣＣＨがサービスＡに関する情報を含み、前記サービスＡに関心のあるＵＥが前記修正周期Ｂ中にＭＣＣＨを読み込むべきであることを前記ＭＣＣＨで指示する（段階２）。
【０１０１】
好ましくは、前記指示は、ＭＢＭＳ  ＭＯＤＩＦＩＥＤ  ＳＥＲＶＩＣＥＳ  ＩＮＦＯＲＭＡＴＩＯＮメッセージに含まれて送信されるか、ＣＯＮＴＩＮＵＥ  ＭＣＣＨ  ＲＥＡＤＮＧ情報要素として送信される。前記ＭＢＭＳ  ＭＯＤＩＦＩＥＤ  ＳＥＲＶＩＣＥＳ  ＩＮＦＯＲＭＡＴＩＯＮメッセージは、ネットワークにより周期的に送信されて、ＵＥに現在セル及び隣接セルで利用可能な少なくとも１つのＭＢＭＳサービスに適用できる変更を通知する。前記ＣＯＮＴＩＮＵＥ  ＭＣＣＨ  ＲＥＡＤＮＧ情報要素（ＩＥ）は、（メッセージに含まれた）ＭＣＣＨ帯域内の通知である。前記ＩＥは、前記ＵＥが次の修正周期にも継続してＭＣＣＨを読み込むべきか否かを示す。
【０１０２】
前記修正周期Ｂ中に、前記サービスＡに関する制御情報が伝送される（段階３）。本発明の一態様において、前記段階１、２、３は、図１２に示す修正周期Ｂと修正周期Ｃだけでなく、これらに続く修正周期中にも繰り返し行われる。
【０１０３】
前述したように、前記修正周期Ａ中に先に前記ＭＣＣＨを読み込んだＵＥは、前記指示が前記ＭＩＣＨのみで伝送されたため、前記サービスＡに関する情報を受信することができない。しかし、本発明によれば、前記ＵＥは、前記サービスＡに関する情報が伝送される修正周期前の修正周期中に前記ＭＩＣＨと前記ＭＣＣＨとで前記指示が伝送されるため、前記サービスＡに関する情報に必要な通知を受信することができる。従って、前記ＭＣＣＨを読み込むＵＥは前記ＭＩＣＨを読み込む必要がない。
【０１０４】
本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲を特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【０１０５】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Field  Programmable  Gate  Array）、ＡＳＩＣ（Application  Specific  Integrated  Circuit）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【０１０６】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝送媒体も含むことができるという点を理解できるであろう。
【０１０７】
前述した実施形態と利点は本発明を制限するものでなく、単なる例示にすぎない。本発明は、他の形態の装置にも容易に適用できる。本発明の詳細な説明は特許請求の範囲を制限するものでなく、単なる説明の便宜のためのものである。当該技術分野における通常の知識を有する者であれば多様な代案、変更、変形が可能であることを理解できるであろう。請求項において、ミーンズプラスファンクションクレーム(means-plus-function  clauses)は列挙された機能を実行するものであり、ここに記載された構造、構造的同等物だけでなく均等な構造をも含む。
【図面の簡単な説明】
【０１０８】
本発明の理解を容易にするために添付され、本明細書の一部を構成する図面は、本発明の多様な実施形態を示し、明細書と共に本発明の原理を説明する。図面において同一符号を付す本発明の特徴、構成要素、及び様態は、１つ以上の実施形態において同一、同等、又は類似した特徴、構成要素、及び様態を示す。
【図１】一般的なＵＭＴＳネットワーク構造を示すブロック図である。
【図２】３ＧＰＰ無線アクセスネットワークの標準に準拠した端末とネットワーク間の無線インタフェースプロトコルの構造を示すブロック図である。
【図３】移動端末における論理チャネルのトランスポートチャネルへのマッピングを示す図である。
【図４】ネットワークにおける論理チャネルのトランスポートチャネルへのマッピングを示す図である。
【図５】ＵＭＴＳネットワークにおけるモードと状態間の可能な変更を示す図である。
【図６】マルチキャストモードを利用して特定の一対多サービスを提供する過程を示す図である。
【図７】ブロードキャストサービスを提供する過程を示す図である。
【図８】ネットワーク側におけるセッションシーケンスを示す図である。
【図９】ＭＣＣＨで情報を伝送するためのスケジュールを示す図である。
【図１０】修正周期中のＭＣＣＨの読み込みに関する通知を以前の修正周期中にＭＩＣＨで送信するスケジュールを示す図である。
【図１１】修正周期に関するＭＩＣＨタイミングを示す図である。
【図１２】本発明の一実施形態による、修正周期中のＭＣＣＨの読み込みに関する通知を以前の修正周期中にＭＩＣＨとＭＣＣＨで送信するスケジュールを示す図である。
【図１３】本発明の一実施形態による、修正周期中にＭＣＣＨを読み込むことを以前の修正周期中にＭＩＣＨとＭＣＣＨでＵＥに通知する方法を示す図である。
【図１】
2008509628.tif 000003
【図３】
2008509628.tif 000004
【図５】
2008509628.tif 000005
【図６】
2008509628.tif 000006
【図７】
2008509628.tif 000007
【図２】
2008509628.tif 000008
【図４】
2008509628.tif 000009
【図８】
2008509628.tif 000010
【図９】
2008509628.tif 000011
【図１０】
2008509628.tif 000012
【図１１】
2008509628.tif 000013
【図１２】
2008509628.tif 000014
【図１３】
2008509628.tif 000015
【国際調査報告】
2008509628.tif 000016
2008509628.tif 000017